(57)【要約】【課題】  クリーニング業やリネンサプライ業においては、商品である衣類、シーツ、タオル等を小型コンテナに分散収納し、トラック輸送しているが、通常製品納入用と、汚れ品回収用とに区分せず、同一の物を使用している。このため、このコンテナに接触する納入リネンの衛生面の管理が、課題となっている。【解決手段】  コンテナ内部にワンタッチ式で着脱できる袋状の内カバーを取り付け、納品時のみに使用することにより、同一コンテナを使用しても、コンテナを介して製品と汚れ品が間接的に接触することをなくし、製品の衛生的管理を向上させた。【選択図】      図２
0003106943.tif 000002
【実用新案登録請求の範囲】
【請求項１】
クリーニング商品を輸送するコンテナの内側に取り付ける袋状のカバーで、深さ約半分の位置から４辺（長、短各２辺）に対応する部分がそれぞれ分離し、構造上開かないようになっている短辺部に対応する部分の頂部には、コンテナの頂部を包み込む覆いを付け、また一方の開閉できて内部の商品を取り出すことができる、長辺部に対応する部分は、カバー頂部に三角形状の折り返しを付け、その折り返し部の先端には、マジックテープを付けた、帯状の紐を付ける。そのマジックテープは、カバーをコンテナに挿入した後、コンテナの外側に取り出し、コンテナの格子を介して、折り返し部の先端の裏側で止めて、カバー全体を固定する。（カバー上部は、コンテナと同様開口している。）本考案は、汚れ品用ではなく、納入する製品用のみに使用する、簡単で素早く取り付け、取り外しが出来ることを特徴としたクリーニング商品輸送用コンテナ内カバーである。（現在はクリーニング商品に使用しているが、利用範囲は広いと考えられるので、今後応用を検討していく計画である。）
【考案の詳細な説明】
【技術分野】
【０００１】  本考案は、クリーニング業やリネンサプライ業において、商品である衣類、シーツ、タオル等の製品と汚れ品の両方を同一のコンテナで輸送する際（通常往きに製品を、返りに汚れ品を輸送）、製品を衛生的に保護し、製品の品質を向上させるためのものである。
【背景技術】
【０００２】  製品と汚れ品の輸送に同一のコンテナ使用しているため、汚れ品を積んで戻ってきたコンテナを、汚れ品を取り出した後清掃して、再び製品を積んで輸送していた。
【背景技術の問題点】
【０００３】１  コンテナを清掃する場合
単にごみを取り除き、見える汚れを落とすだけで、衛生的には特別の改善はない。
２  実施しなかったが、検討した方法
（１）  消毒液でコンテナ内部を拭く場合
かなりの時間がかかるとともに、消毒液の臭いが残り、またコンテナの鉄の部分に錆び発生の恐れがある。（錆びは、製品を汚す恐れがあり、実施できなかった。）
（２）  コンテナ全体を消毒する場合
大規模な装置とそれを作動させる人員が必要であり、また消毒に消毒液、蒸気のどちらを使っても、コンテナに錆び発生の恐れがある。
【考案の開示】
【考案が解決しようとする課題】
【０００４】  本考案は、製品用及び汚れ品用に同一コンテナを使用している場合に、製品の衛生的な管理を実現するものである。
【課題を解決するための手段】
【０００５】  本考案は、極めて簡単な構造で、ワンタッチ式で着脱できる内カバーを、製品用にのみ使用することにより、コンテナを消毒等特別な処置をすることなく、上記課題を解決し、製品の衛生的管理を実現した。
【考案の効果】
【０００６】  １  従来に比し、製品の完全な衛生的管理が可能となった。（内カバーを抗菌加工することにより、更に効果をあげることが出来ると考えられる。）
２  コンテナの清掃、消毒等に比し、作業が簡単で所要時間が短縮できる。
３  コンテナの錆び等の心配もない。
４  以上を総合して、内カバーの経費はかかるものの、人件費の削減及び衛生的管理を実現した効果は大きい。
【考案を実施するための最良の形態】
【０００７】  １  本考案の使用要領は、コンテナの開閉できる扉を閉じた状態で、まず内カバーの長辺部と短辺部をコンテナに合わせて、コンテナ内部に挿入することから始まる。短辺部は、コンテナ上部に被せるだけ。長辺部は、折り返し部分をコンテナ外側に折り返し、先端のマジックテープ付き帯状の紐を、コンテナの格子を介して、折り返し部分の裏側に止め、内カバーを固定する。
２  内カバーの取付けが終わったコンテナは、出荷場へ運ばれ、開閉できる長辺部のどちらか一方側を開いて、製品を積み込む。積み込み終了後は、開いた扉を閉鎖する。
３  目的地に到着後、コンテナから製品は取り出されるが、その後汚れ品を入れることになるため、製品を取り出した後直ぐに、必ず内カバーを取り外し、コンテナのサイドに備え付けの収納袋に入れ、コンテナのサイドに吊るすか、数個を纏めて専用の収納袋に収めて、回収する。
４  内カバーの取り外し方は、各長辺部のマジックテープ付きの帯状紐をはずすことにより、コンテナと内カバーの繋がりはなくなるので、上部へ引き上げると、そのまま取り外すことができる。
【実施例】
【０００８】  １  従来戻ってきたコンテナの清掃に約４分／台を要していたが、本考案の使用により、取付けは約１分／台でよく、従来に比し約３分／台の短縮が可能となり、コンテナを１日、１００台使用する場合は、約３００分（５時間）の短縮が可能となった。
２  取り外しには、約２０から３０秒／台を要する。
【産業上の利用の可能性】
【０００９】  本考案は、クリーニング業やリネンサプライ業において、現在一般に商品である衣類、シーツ、タオル等の製品と汚れ品を同一のコンテナを使って輸送している状況から、製品を衛生的に保護し、その品質を向上させる必要性は高く、利用価値は極めて高いと、考えられる。また更に、他の分野でも活用が考えられる。
【図面の簡単な説明】
【００１０】
【図１】  本考案内カバーの斜視図
【図２】  本考案内カバーを展開した場合の斜視図
【図３】  コンテナの斜視図
【符号の説明】
【００１１】  １  マジックテープ付き帯状の紐
２  三角形状の折り返し部
３  長辺部の開閉扉に対応する部分
４  短辺部に対応する部分
５  コンテナ短辺部の頂部を包み込む覆い
【図１】
0003106943.tif 000003
【図２】
0003106943.tif 000004
【図３】
0003106943.tif 000005
【手続補正書】
【提出日】平成16年6月17日(2004.6.17)
【手続補正１】
【補正対象書類名】実用新案登録請求の範囲
【補正対象項目名】請求項１
【補正方法】変更
【補正の内容】
【請求項１】
袋状に構成し、その上部は開口しているクリーニング商品輸送用コンテナの内側に取り付けるカバーであって、深さ約半分の位置から４辺（長、短各２辺）がそれぞれ分離し、構造上開かないようになっている短辺部２辺に対応する部分の頂部には、コンテナの頂部をすっぽりと包み込む覆いを付け、またもう一方の開閉できる長辺部２辺に対応する部分には、三角形状の折返しを付け、その頂部には折返した後コンテナの格子を介して固定することができるマジックテープ付きの帯状の紐を付けた、簡単で素早く取付け、取外しができることを特徴とする、クリーニング商品輸送用コンテナ内カバー。
【手続補正書】
【提出日】平成16年9月2日(2004.9.2)
【手続補正１】
【補正対象書類名】実用新案登録請求の範囲
【補正対象項目名】請求項１
【補正方法】変更
【補正の内容】
【請求項１】
袋状に構成し、その上部は開口しているクリーニング商品輸送用コンテナの内側に取り付けるカバーであって、深さ約半分の位置から４辺（長、短各２辺）がそれぞれ分離し、コンテナの構造上開かないようになっている短辺部２辺に対応する部分の頂部には、コンテナの頂部をすっぽりと包み込む覆いを付け、またもう一方の開閉できる長辺部２辺に対応する部分には、三角形状の折返しを付け、その頂部には折返した後コンテナの格子を介して固定することができる接着テープ付きの帯状の紐を付けた、簡単で素早く取付け、取外しができることを特徴とする、クリーニング商品輸送用コンテナ内カバー。
【手続補正２】
【補正対象書類名】明細書
【補正対象項目名】０００７
【補正方法】変更
【補正の内容】
【０００７】１  本考案の使用要領は、コンテナの開閉できる扉を閉じた状態で、まず内カバーの長辺部と短辺部をコンテナに合わせて、コンテナ内部に挿入することから始まる。短辺部はコンテナ上部に被せるだけ。長辺部は、折返し部分をコンテナの外側に折返し、先端の接着テープ付き帯状の紐を、コンテナの格子を介して、折返し部分の裏側に止め、内カバーを固定すればよい。
２  内カバーの取付けが終わったコンテナは、出荷場へ運び、開閉できる長辺部のどちらか一方側を開いて、製品を積込む。その後、開いた扉を閉鎖する。
３  目的地に到着後、コンテナから製品は取出されるが、その後汚れ品を入れることになるため、製品を取出した後直ぐに、必ず内カバーを取外し、コンテナのサイドに吊るしている収納袋に入れるか、数個を纏めて専用の収納袋に収めて、回収する。
４  内カバーの取外し方は、各長辺部の接着テープ付きの帯状紐を外すことにより、コンテナと内カバーの繋がりはなくなるので、内カバー全体を上部へ引き上げて、そのまま取外すことができる。
【手続補正３】
【補正対象書類名】明細書
【補正対象項目名】００１１
【補正方法】変更
【補正の内容】
【００１１】１  接着テープ付き帯状の紐
２  三角形状の折返し部
３  長辺部の折返し部
４  コンテナ短辺部の頂部を包む覆い